(57)【要約】【課題】ファイルバインダーの綴じ具の開閉を必要とすることなく、ファイルの綴じ込みと取り出しが容易にでき、目的外のファイルが不用意に脱落したりすることのないファイルを提供する。【解決手段】薄いプラスチックのファイル部材を重ね合わせた構造のファイルを綴じる綴じ孔に、綴じピンを導く綴じピン通路を設け、その綴じピン通路にファイル部材の凸形を突出させて形成したゲート構造を設け、通常は綴じピンが通過するのを抑止しているが、ファイルを脱着する時には、綴じピンを経由してゲート構造にある値以上の力を加えることにより、ゲート構造に弾性変形を発生させてゲートを開き、この時だけ綴じピンが通過できるようにする。【選択図】図２
2014148135.tif 000002
【特許請求の範囲】
【請求項１】
弾性を有する柔軟で薄いプラスチックのファイル部材を重ね合わせて形成したファイルであって、該ファイルをファイルバインダーの綴じピンにより綴じ込みあるいは取り外す時に、
ファイルバインダーの綴じピンで綴じることができるように、このファイルの一つの辺の近くに形成した綴じ孔と、
ファイルバインダーの綴じピンをこの綴じ孔に入れ、あるいはこの綴じ孔から出すことができるように、この綴じ孔に近い辺に形成した綴じピンの出入口と
綴じピンをこの綴じ孔に導き、また綴じ孔から外して綴じピン出入口へと導くことができるように、綴じ孔と綴じピン出入口との間に形成した綴じピン通路とを有し、さらに
このファイルの該綴じピン通路の一部には、このファイルを構成するこのファイル部材の少なくとも一つによる凸形をした部分が存在し、この凸形状をした部分により綴じピンがこの綴じピン通路を移動するのを抑制するゲート構造を備えていることを特徴とするファイル。
【請求項２】
前記ファイルにおける前記ゲート構造が、前記２枚のファイル部材が共に凸形をした部分を有していて、これら２枚の凸形状をした部分により、綴じピンが前記綴じピン通路を移動するのを抑制する構造であることを特徴とする請求項1に記載のファイル。
【請求項３】
前記ファイルの綴じ孔よりも資料収納部側の一部に線状に接着処理を施して、綴じ穴を含む綴じ代部と資料の収納部とが区分されていることを特徴とする請求項１または２に記載のファイル。
【請求項４】
前記ファイルの前記綴じ代部の幅より狭い幅の板で形成され、ファイルに収容した資料の内容を記載するインデックス記載部と、前記ファイルを綴じ込むファイルバインダーの綴じ具に咬合するロック部とを有し、請求項１〜３のいずれか１項に記載のファイルをファイルバインダーに綴じ込んだ時に、このロック部をファイルバインダーの綴じピンに咬合させて用いることを特徴とするロックインデックス部材。
【発明の詳細な説明】
【技術分野】
【０００１】
本発明は、ファイルバインダーに資料をファイルして保管したり、保管した資料のファイルを整理したり、再構成したりする際に好都合なファイルおよびこのファイルに用いられるロックインデックス部材に関する。
【背景技術】
【０００２】
クリアファイルは紙資料などを整理して保管するのに用いられており、その厚さは薄いがしっかりした材質のプラスチック板材を二つに折り、この折り目でできた辺を一つの閉じた長辺とし、また下の辺は熱溶着などによって閉じ、ほかの２辺を開放状態にして、この開放状態の辺から資料の出し入れをするものである。こうしたクリアファイルを複数まとめて保管する場合には、プラスチックケースなどの保存用具が用いられることが多い。他方、綴じ具を備えたファイルバインダーは、紙資料をはじめとする様々な資料の整理・保管に使われていて、複数の資料をファイルしたまま持ち運べる便利さがある。しかし、クリアファイルをファイルバインダーに綴じて保管することは、これまであまり行われていなかった。
【０００３】
また一方で、ファイルバインダーにはさまざまな種類があり、その多くは資料を綴じ込むための綴じピンとその綴じピンを開閉する機構を備えたものである。その綴じピンの形状にもリング状、Ｕ字状、あるいは直線状のものなどがあって、それらの綴じピンを開閉する機構も多様である。ここではそうしたものをひとまとめにファイルバインダーと呼ぶことにする。
【０００４】
他方、ポケットファイルと呼ばれているものがある。これは多くの場合、上辺に開口部を持ち、かなり薄い透明のプラスチック製の袋状のものである。ポケットファイルは、その中に資料を入れ、片側の辺に設けた綴じ穴等により、ファイルバインダーに綴じて使うことが多い。
【０００５】
整理して保管したい資料の中には、不定形な切抜きや写真、実物サンプルなどもある。そうした多様な資料を散逸しないように保管し、必要に応じて随時提示できるようにするには、それらの資料をポケットファイルなどに収容した上でファイルバインダーに整理・格納しておくことが望ましい。
【０００６】
資料をポケットファイルなどに収容した上でファイルバインダーに格納することが望ましい理由として、ポケットファイルに収容すれば不定形資料もその形状が統一されて扱いやすくなり、綴じ具の開閉によって新旧の資料を差し換えたり、所要の資料を拾い出して望ましい順序に配列し直したり、あるいはこれを別のファイルバインダーに改めて綴じ込む、などの編集整理が楽にできるという点があげられる。また、このようにすると、資料そのものを直接扱うことによる資料損傷の危険や、綴じずに箱などに入れて保管する場合の資料活用の不便さを、ひとまず避けることができる。
【０００７】
しかし、蓄積した多くの資料の中から、ある目的に合わせて所要の資料のファイルだけを抽出し、これを望ましい順序に配列して利用するには、複数のファイルバインダーの中から所望の資料を選んで抽出し、新しいファイルバインダーにその順序を考えながら綴じ込んでいく必要がある。それには、差し換えたい資料のある個所ごとに、その都度、ファイルバインダーの綴じ具を開閉しなくてはならない。しかし、多数のファイルを抽出し、ファイルしなおす場合には、綴じ具の開閉操作を頻繁に行う必要がある上に、一つのファイルバインダーに多数の資料が収容されている場合には、綴じ具を開いた時に、意図しない資料のファイルまでも外れて出てしまうという危険性が伴う。
【０００８】
ファイルバインダーに綴じ込んだ多くの資料の中から、一部のファイルだけを選んで用いる場合や、それらを頻繁に差し換えて用いる場合には、このような綴じ具の開閉操作が少なからず問題となる。そのような具体例の一つに、個々の顧客のニーズに合わせて、最も訴求力のある資料を選んで提示しようとする営業活動がある。必要な資料を手早くまとめたい時に、出し入れするファイルの前後にあるファイルがはずれ、資料の順番が乱れてしまうということは、実際問題として大変に煩わしいことである。こうした事情から、ファイルバインダーの綴じ具を開閉せずにファイルの綴じ込みや取り出しができるファイルについて、下記に述べるような提案がなされている。
【０００９】
その一つは、特許文献１に記載のクリアファイルバインダの提案である。この文献には、ファイルバインダーに着脱自在に保持させることができる書類収納用クリヤホルダーが記載されている。これは、丈夫な樹脂薄板を二つ折りにし、その下辺を熱溶着して形成されるクリヤホルダーであって、その左右幅を書類幅より長く形成して設けた綴じ代部に４個の綴じ孔を設け、綴じ代部の開放辺部に設けた綴じピン出入口を有する切れ目をそれぞれの綴じ穴に連通させることにより、ファイルバインダーの綴じ具を開閉せずにクリヤホルダーを着脱可能にした、というものである。しかし、この方法では綴じ孔と綴じピン出入口をつなぐ切れ目が2枚の重なり合う部材で同じ形状の単純なスリットであるため、少し力が掛かるとクリヤホルダーが不用意に脱落してしまう、という問題点がある。
【００１０】
また特許文献２に記載の技術も、ファイルバインダーの綴じ具の開閉操作をせずに、抜き差しが容易にできるクリアファイルとファイルバインダーを提供するというものである。すなわち、開閉機構のない綴じ具を備えるファイルバインダーと、中央折線位置で二つ折りされたシートの一辺にインデックス部を有し、他辺に抜き差し用の長孔を備えるクリアファイルの組み合わせである。しかしながら、特許文献２は、特許文献１と同様の構成にインデックス手段を加えたものに過ぎず、従って特許文献１の欠点は依然として解消されていない。
【００１１】
さらに特許文献３では、頻繁に出し入れをする用紙の取扱いを容易にし、用紙の傷みを除去することを目的として、残留応力による弾性復元力を具えた用紙に、用紙の端部方向へ切込み部を設けた補強用部材を貼り付け、この補強用部材を用いた用紙を開口部のないリング構造の綴じ具を備えたファイルバインダーに綴じ込む、という構成を提案している。しかし、特許文献３は、特許文献１と同様の構成において綴じ孔部に補強手段を加えたものに過ぎないので、上記の特許文献１で述べた欠点は、この特許文献３でも依然として解消されていない。
【先行技術文献】
【特許文献】
【００１２】
【特許文献１】登録実用新案第３０５５８１８号
【特許文献２】登録実用新案第３１６７５６５号
【特許文献３】特許公開平８−２７６６９１号
【発明の概要】
【発明が解決しようとする課題】
【００１３】
本発明は、ファイルバインダーの綴じ具の開閉を必要とすることなく、抜き差しが容易にできるファイルであって、しかも不用意に脱落することのないファイルを提供するものである。本発明では、この着脱容易なファイルにおけるファイルの保持をより安定に保ち、あわせてこのファイルにインデックス機能を付加することもできるロックインデックス部材を提供する。
【課題を解決するための手段】
【００１４】
本発明のファイルは、弾性を有する柔軟で薄いプラスチックのファイル部材を重ね合わせて形成したファイルであって、このファイルをファイルバインダーの綴じピンにより綴じ込みあるいは取り外す時に、ファイルバインダーの綴じピンで綴じることができるように、このファイルの一つの辺の近くに形成した綴じ孔と、ファイルバインダーの綴じピンをこの綴じ孔に入れあるいはこの綴じ孔から出すことができるようにこの綴じ孔に近い辺に形成した綴じピン出入口と、綴じピンをこの綴じ孔に導きまた綴じ孔から外して綴じピン出入口へと導くことができるように綴じ孔と綴じピン出入口との間に形成した綴じピン通路とを有しており、さらに、このファイルの該綴じピン通路の一部には、このファイルを構成するファイル部材の少なくとも一つによる凸形をした部分を存在させ、この凸形状をした部分により、綴じピンがこの綴じピン通路を移動するのを抑制するゲート構造を備えていることを特徴としている。上記のゲート構造は、２枚のファイル部材の少なくとも一方が凸形をした部分を有していて、この凸形状をした部分により、綴じピンが上記の綴じピン通路を移動するのを抑制する構造にすることができる。また、これら２枚の部材の両方に凸形状をした部分を設け、これら二つの凸部が互いに重なり合ったゲート構造を形成すると、より安定したゲート構造が構成できる。
【００１５】
本発明のファイルには、このように綴じピン通路が通常は閉じた状態のゲート構造がある。このため、多少の力がかかっても、ファイルはファイルバインダーから脱落しない。このファイルをファイルバインダーに綴じ込んだり、逆に取り外したりする時には、ある程度以上の力を加える。こうすると、綴じピンに押されてゲート構造が弾性変形して一時的に開いた形になり、この時にだけ、綴じピンがこの綴じピン通路を通過することができ、ファイルを脱着できるようになる。こうして綴じピンを開くことなく、ファイルの取り外しや綴じ込みを行うことができる。
【００１６】
上記ファイルの重ね合わせた形に構成されたファイル部材は、ファイルの綴じ代部のある側の辺において互いに接続されていることが望ましい。そうした構造であれば、複数のファイル部材がよくまとまり、綴じ込み時にはファイルバインダーの綴じピンがファイルの綴じピン出入口を捉えやすくなり、また、ガイドスリットを経て綴じピンを綴じ穴まで通過させるのも容易になるので、ファイルの着脱操作が安定する。
【００１７】
こうした本発明のファイルは、例えば次のようにして製作できる。それは一枚のファイル部材を二つに折り重ねて長方形にし、この長方形の下側の辺を溶着などで接続して閉じた形にし、折り畳んだ側、またはそれと対向する開放端側のどちらか側の辺の近くを綴じ代部とし、この綴じ代部に上記の綴じ孔、綴じピン出入口およびゲート構造を備えた綴じピン通路を設けることによって製作するものである。もし、ファイル部材を折り畳んだ側に綴じ代部を設ける場合には、その反対側の辺を熱圧着などの方法により接着してファイルを袋状にすれば、資料の脱落を防ぐことができるので、資料を安心して収容することができる。他方、開放端側に綴じ代部を設ける場合は、端部を開放した状態のまま使用してもよいが、その端部を熱圧着などの方法により接着しておくことがやはり好ましい。こうしておくと、ファイルバインダーの綴じピンがファイルの綴じピン出入口を捉えやすくなり、ファイルをファイルバインダーに綴じこむ際の操作が円滑になる。
【００１８】
また、上記ファイルの資料を収納する個所と綴じ穴の間を間仕切るように、この辺と平行にその一部又は全長にわたり接着処理がなされていることが好ましい。このように綴じ孔の資料側にこうした接着処理された個所があると、綴じ代部の剛性が向上し、ファイルをファイルバインダーに着脱する際の操作が安定する。またファイルに収容された資料がファイルバインダーのリングや綴じピンと直接接触して損傷する危険を未然に防ぐこともできる。また、こうすることによって、綴じ代部をこの接着処理された個所で明確に区切ることができるので、こうした綴じ代部は、後述のロックインデックス部材を装着する部分として用いる際にも好都合である。
【００１９】
また、ファイルバインダーの綴じピンを通過させる上記綴じピン通路には、上記綴じピン出入口と上記綴じ孔との間に、方向を変える個所を持たせることができる。この場合の綴じピン通路には、綴じピンが楽に通過する幅を持たせ、また上記綴じピン通路は、鉤型、折れ線状または曲線状に曲っていて綴じピンの進行方向を変える形のものであってもよい。例えばこの綴じピン通路が、綴じ孔からまず綴じピン出入口のある辺と平行の下方に向かい、次に綴じピン出入口の方向に向かうように形成されている場合には、まずファイルを上方に引き、次にこれと直角の方向に引くという操作により、ファイルを取り外す。綴じピン通路にこうした方向を変える個所があれば、ファイルバインダーに綴じ込まれたファイルにファイルを引き抜く方向に力が掛かっても綴じピンは綴じ穴からはずれることがない。その力が多少強かったり、振動を伴なう場合であっても、ファイルバインダーからファイルが不用意に脱落することはない。従って、すでに述べた綴じピン通路におけるゲート構造の効果に、この綴じピン通路の方向変化の効果が加われば、ファイルのファイルバインダーからの脱落をより確実に防止できる。
【００２０】
また、本発明のロックインデックスは、上記ファイルの綴じ代部の幅より狭い幅の板で形成され、ファイルに収容した資料の内容を記載するインデックス記載部と、前記ファイルを綴じ込むファイルバインダーの綴じ具に咬合するロック部とを有し、上記ファイルをファイルバインダーに綴じ込んだ時に、このロック部をファイルバインダーの綴じピンに咬合させて用いる。
【００２１】
本発明のファイルをファイルバインダーに収容した後に、このロックインデックス部材をこのファイルの綴じ代部に挿入し、そのロック部をファイルバインダーの綴じ具に咬合させると、綴じ代側の辺が閉じたファイルであれば、ファイルを引き抜く方向に強い力が加わっても、このロックインデックス部材が綴じ代側のファイル辺につかえるので、ファイルバインダーからファイルが不用意に脱落する可能性を確実に排除できる。なお、このロックインデックス部材は、そのインデックス記載部に任意のインデックスを記載することができ、それにより、このファイルに収容した資料の内容などを容易に確認することができる。
【発明の効果】
【００２２】
本発明のファイルを用いることにより、ファイルバインダーのリングや綴じピンなどの綴じ具の開閉をせずに閉じたままの状態にて、ファイルを取り出したり綴じ込んだりすることができ、しかもファイルは、ファイルバインダーのリングや綴じピンなどの綴じ具から容易に脱落することがない。このため、ファイルのファイルバインダーからの取り出しや綴じ込みが随時、簡単に行えるので、ファイルバインダーに収納する資料を常に必要かつ十分な資料だけに絞り込んで整理・編集し、管理することができる。
【００２３】
また、上記ロックインデックス部材を用いれば、ファイルの脱落を確実に防止できることに加えて、ファイルにインデックスを付与することもできる。
【図面の簡単な説明】
【００２４】
【図１】本発明の一実施例のファイルと、これを綴じるファイルバインダーとを示した模式図である。
【図２】本発明の一実施例のファイルの構成を示した模式図である。
【図３】本発明のファイルのさらに他の実施例およびその変形例を示した模式図である。
【図４】本発明のロックインデックスの一実施例を示した模式図である。
【発明を実施するための形態】
【００２５】
実施例１   図１は、本発明の実施例のファイル１０と、これを綴じ込むファイルバインダー１００とを模式的に示した図である。まず図１の（Ａ）は、２枚のファイル部材１２Ａと１２Ｂを重ね合わせた形にファイル１０を構成した図であり、このファイル１０における左端の辺１１に近いところに、綴じ孔１６を設けている。これはファイル１０をファイルバインダー１００の綴じピン１４によって綴じるためのものである。ファイル１０には、左端の辺１１に綴じピン１４を導き入れるための綴じピン出入口１８を設けている。ファイル１０にはさらに、綴じピン１４が綴じピン出入口１８から入って綴じ孔１６に向かって進入する時、あるいは綴じ込まれたファイル１０を外す時に綴じピン１４が綴じ孔１６から綴じピン出入口１８へと進むための綴じピン通路２０を設け、その綴じピン通路２０の途中にゲート構造２２を設けている。このゲート構造２２では、ファイル部材１２Ａと１２Ｂの各々に形成した凸形をした部分２４Ａと２４Ｂとが綴じピン通路２０に突出し、これらが重なり合うことにより、綴じピン１４の進行が抑制されるものである。なお、これらの構成の拡大図については、図２の（Ｄ）と（Ｅ）とを参照してほしい。
【００２６】
図１の（Ａ）に示すように、このファイルでは、綴じ孔１６に対し資料を収容する側の綴じ孔１６に近い位置に、ファイル部材を溶着させて形成した溶着線３０を設けている。ファイル１０の左端の辺１１に沿った綴じ孔１６のある部分をファイル１０の綴じ代部２８とすると、この溶着線30を設けることにより、綴じ代部２８がこの溶着線３０で仕切られた形となるので、ファイルに収容された資料が綴じ孔１６を貫通するファイルバインダー１００の綴じピンに直接に接触するのを回避できる。なお、こうした綴じ代部２８は、後述するロックインデックス部材を装着する個所としても利用できる。また図１の（Ａ）において、ファイル１０の綴じ代部２８を設けた辺と対向する辺、すなわち図１の（Ａ）におけるファイル１０の右端の辺３２と下端の辺２６は、共に閉じた構成にし、保管される資料は、ファイル１０の上端の辺３６から出し入れできるようにしている。
【００２７】
このファイル１０は、ファイルバインダー１００に綴じ込んで保管できる。ファイル１０をファイルバインダー１００に綴じ込む時には、その綴じ具である綴じピン１４をファイル１０の綴じピン出入口１８から導入し、そのあと綴じピン通路２０を通し、その途中でゲート構造２２を通過させた上で綴じ孔１６に到達させる。ここにゲート構造２２は、ファイル部材１２Ａと１２Ｂの凸形をした部分２４Ａと２４Ｂを綴じピン通路２０に突出させて、綴じピン１４の通行を抑制するもので、ファイル１０にある値以上の力を加えることにより、この凸形をした部分２４Ａと２４Ｂが綴じピン１４からある値以上の力を受けて弾性変形し、一時的にゲート構造２２が開き、この時綴じピン１４がゲート構造２２を通過する。このようにして、綴じピン１４自体は開かずに閉じたままの状態で、ファイル１０をファイルバインダー１００に綴じ込むことができ、また取り外すこともできる。従ってこのファイルバインダー１００の綴じ具は開閉の必要はないが、開閉できるタイプであっても、勿論ファイル１０の綴じ込みに使用できる。なお、このゲート構造２２は、上記のように、ファイル部材１２Ａと１２Ｂの各々に形成された凸形をした部分２４Ａと２４Ｂを綴じピン通路２０に突出させ、それらを重なり合わせた形のものであるが、このほかに、二つの凸形をした部分２４Ａおよび２４Ｂを綴じピン通路２０に突出させているが重なりあわせてはいない場合や、凸形をした部分２４Ａおよび２４Ｂのうちの一方だけを綴じピン通路２０に突出させてゲート構造２２を形成した場合にも、綴じピン１４の通過を抑制する効果が得られることを確かめた。さらにこうしたゲート構造を複数個持たせることもできる。
【００２８】
なお、図１の（Ａ）では、２個の綴じ孔１６を持つファイル１０を、２個の綴じピンを有するファイルバインダー１００に綴じ込む場合について説明したが、もちろん綴じ孔１６や綴じピン１４の数は２個に限ることはない。例えば図１の（Ｂ）に例示するように、綴じ孔１６の位置と数を、ファイルバインダー１００の綴じピン１４の位置と数に合わせて４個にすることもでき、また、この他の数にすることもできる。さらに、ファイルの綴じ代部２８および綴じ孔をファイルの短辺に設け、これに合った横型のファイルバインダーを用いてファイルを綴じ込むこともできる。
【００２９】
このように、ここでは弾性を有する薄いプラスチックをファイル１０のファイル部材１２Ａおよび１２Ｂとして用いているので、ファイル１０を綴じ込んだり取り外したりする時には、ファイル１０に力を加えることにより、綴じピン１４とゲート構造２２との間にある値以上の力が加わり、ゲート構造２２に弾性変形が生じるようにすると、一時的にゲート構造２２が開くので、この時にファイルバインダーの綴じピン１４がここを通過する。綴じピンがゲート構造２２を通過して綴じ孔１６に達すると、変形したゲート構造２２は復元し、もとの綴じピン１４の通過を抑制する形に戻る。このため、綴じ込まれたファイル１０は、通常の振動では不用意に脱落することなく安定的に保持される。また、ファイル１０の綴じ込みや取り外しが綴じピン１４を開かずに行うことができる。これらのことを実際に確かめることができた。
【００３０】
実施例２  図２は、本発明の一実施例のファイルの製作手順を模式的に示し、さらにこのファイルの綴じピン出入口から綴じ孔までの構造について示した図である。まず、図２の（Ａ）に示すように、一般的な製法で作られた長方形のプラスチックの薄板３８を用意する。次に図２の（Ｂ）に示すように、その中心線４０に近い位置に、打ち抜き加工の方法でパターンを形成した。このパターンは、中心線４０で部材を折り返した時に、綴じ孔１６、綴じピン出入口１８、および綴じピン通路２０を形成するように設計したパターンと、ゲート構造を構成するためのファイル部材１２Ａと１２Ｂの凸形をした部分２４Ａと２４Ｂのパターンを含むものである。このパターンを打ち抜いた長方形のプラスチックの薄板３８を、その中心線４０で折り返してファイルの形にし、その右端の辺３２および下端の辺２６を溶着して接続し、図２の（Ｃ）に示したようなファイル１０を形成した。
【００３１】
図２の（Ｄ）には、図２の（Ｂ）のパターンが打ち抜かれた部分の形状の拡大図を示した。また、図２の（Ｅ）には、こうして形成される綴じピン出入口１８・綴じピン通路２０・ゲート構造２２・および綴じ孔１６の部分の拡大図を示し、図２の（Ｄ）を中心線で折り返した図に相当する。図２の（Ｅ）に示されているように、この実施例では綴じピン出入口１８からすぐに凸形をした部分２４Ａと２４Ｂによるゲート構造２２が続き、その先に綴じ孔１６がある。この場合の綴じピン通路２０はゲート構造２２と重なっていることになる。こうした構成も本発明の一実施形態である。
【００３２】
実施例３  この実施例は、ファイル１０の綴じ孔１６と綴じピン出入口１８との間の綴じピン通路２０が、幅が綴じピン１４の太さよりも少し大きめで綴じピン１４が容易に通過でき、その方向が途中で変化し鉤形をしている場合を示したものである。図３の（Ａ）と（Ｂ）は、このような構成のファイルを、すでに実施例２で示した方法と同様な方法で製作する手順を示した図である。まず、一般的な製法で作られた長方形のプラスチックの薄板３８を用意し、図３の（Ａ）に示すように、その中心線４０の位置の近くに、図示のようなパターンを打ち抜き加工によって形成した。このパターンは、折り返してファイルの形状にした時に、綴じ孔１６、綴じピン出入口１８、および綴じピン通路２０とゲート構造２２を構成するための凸形をした部分２４Ａと２４Ｂのパターンを一体的に形成するようにあらかじめ設計したものである。次に、このパターンを打ち抜いた長方形のプラスチックの薄板３８を、図３の（Ｂ）に示すようにその中心線４０にて折り返し、さらに右端の辺３２と下端の辺１６を溶着し、さらに上下の部材を接続して、図３の（Ｂ）に模式的に示したファイル１０を得た。
【００３３】
図３の（Ｃ）は、図３の（Ａ）で打ち抜いた形状を示した部分拡大図である。この図３の（Ｃ）を折りたたむと、図３の（Ｄ）となる。この図３の（Ｄ）にて説明すると、まず、図には表示していないファイルバインダー１００に綴じられたファイル１０を、ある強さ以上の力で上方に引くと、ゲート構造２２を構成している凸形をした部分２４Ａと２４Ｂが綴じピン１４に押されて変形し、ゲート構造２２が開いて綴じピン１４が通過する。続いて綴じピン１４は、まず綴じピン通路２２を図の下方に向かったあと、方向を変えて綴じピン出入口１８に向う。このため、ファイル１０をファイルバインダー１００から取り外すには、最初にファイル１０を上の方向に引いたあと、横の方向に引くという操作を行う。また、ファイル１０を綴じ込むには、この逆の操作を行う。次に図３の（Ｅ）は、上記した実施例の一変形例について、その打ち抜きパターンを拡大して示した図であり、また図３の（Ｆ）は、これを中心線４０で折り返した場合のパターンを拡大して示した図である。この場合には、綴じ孔１６から出た綴じピン１４は、綴じピン通路２０に従ってまず下方に向ったあと、綴じピン出入口の方向に向きを変えてゲート構造２２に到達する。このゲート構造２２を通過すると、綴じピン出入口１８があって、そこで綴じピン１４はファイル１０から離れることになる。このようにして、綴じピン通路２２が鉤形の形状である場合には、ファイル１０を取り外すときに、先に述べたようにしてゲート構造２２を通過させるほかに、引き出す方向を途中で変えるという操作が必要となる。このように綴じピン通路２２が鉤形の形状である場合には、一方向からの力ではファイルバインダー１００からファイル１０が抜け落ちないので、ファイル１０がファイルバインダー１００から抜け落ちるのをより確実に防止できる。実際に振動試験により、ファイル１０がファイルバインダー１００から外れないという結果を得ている。
【００３４】
実施例４  図４の（Ａ）は、本発明のロックインデックスの一実施形態を模式的に示した図である。ロックインデックス４２は、ファイル１０を構成するファイル部材１２Ａや１２Ｂよりも厚めのプラスチック薄板を用い、ファイルの内容を記載するインデックス記載部４２と、ファイルを綴じ込むファイルバインダー１００の綴じピン１４に咬合する咬合部４６とを設けたものである。この咬合部４６は、ファイルバインダー１００の一番上または一番下の綴じピン１４に咬合して用いる。なお、ロックインデックス４２のサイズは、ファイルの区切られた綴じ代部２８への取り付けやすく、また取り外しやすい幅と長さを選んだ。
【００３５】
また、図４の（Ｂ）は、ファイルバインダー１００に綴じ込んだファイル１０の綴じ代部２８に、このロックインデックス４２を挿入し、その咬合部４６をファイルバインダー１００の綴じピン１４に咬合させた、ロックインデックスの装着状態を示した図である。このロックインデックス４２を用いることにより、ファイル１０にこれを引き抜く方向に力が加わっても、綴じピンに咬合したロックインデックス４２がファイル１０の綴じ代側の端辺につかえるため、ファイルバインダー１００の綴じピン１４よりファイルが脱落するおそれは皆無となった。また、このロックインデックス４２には、当該ファイルに収容した資料の内容を示すインデックスを書き込むためのインデックス記載部４４を設け、その書き込みや色別により、ファイルバインダー１００に格納された多くの資料の中から目的とするファイルを見つけ出すのが容易になった。尚、このロックインデックス４２の一部やインデックス記載部４４を、ファイルバインダー１００の上部から外に出ている形にし、ファイルバインダーを開かなくてもそのインデックスが読み取れるようにすることもできる。
【産業上の利用可能性】
【００３６】
本発明のファイルにより、例えば営業活動において、蓄積された資料の中から個々の顧客のニーズに合う訴求力ある資料を選別して提示したい場合、個々の状況に即した該当資料を迅速にまとめて提示したり、送付したりすることができる。また、様々な分野におけるプレゼンテーション活動において、デジタル資料とともにアナログ資料を適切に提示できることは大変有効であり、その産業上の利用可能性は大きい。
【符号の説明】
【００３７】
１０……ファイル、  １１……左端の辺、    １２Ａ、１２Ｂ……ファイル部材、  １４……綴じピン、  １６……綴じ孔、  １８……綴じピン出入口、  ２０……綴じピン通路、  ２２……ゲート構造、  ２４A、２４Ｂ ……凸形をした部分、 ２６……下端の辺、  ２８……綴じ代部、  30……溶着線、  ３２……右端の辺、  ３６……上端の辺、  ３８……プラスチックの薄板、  ４０……中心線、  ４２……ロックインデックス、  ４４……インデックス記載部、  １００……ファイルバインダー。
【図１】
2014148135.tif 000003
【図２】
2014148135.tif 000004
【図３】
2014148135.tif 000005
【図４】
2014148135.tif 000006